(57)【要約】【課題】  強風等によっても洗濯物が外れず、容易に洗濯物を取り外すことができる物干し具を提供すること。【解決手段】物干し具は、複数個のピンチを備え、かつ位置変位可能なフレームと、一端部がフレームに取付けられ、他端部が前記ピンチの一方の摘み部に取付けられた第１の吊り下げ部材、及び一端部がフレーム又は第１の吊り下げ部材のいずれかに取付けられ、他端部が各ピンチの他方の摘み部に取付けられた第２の吊り下げ部材とを介して設けられた複数個のピンチと、フレームを位置変位させた姿勢において第１の吊り下げ部材の取付け基端部に当接するとともに、第１の吊り下げ部材の回動を制限するように前記フレームに設けられた突起とよりなる。【選択図】  図１
2017000674.tif 000002
【特許請求の範囲】
【請求項１】
複数個のピンチを備え、かつ位置変位可能なフレームと、一端部が前記フレームに取付けられ、他端部が前記ピンチの一方の摘み部に取付けられた第１の吊り下げ部材、及び一端部が前記フレーム又は第１の吊り下げ部材のいずれかに取付けられ、他端部が前記各ピンチの他方の摘み部に取付けられた第２の吊り下げ部材とを介して設けられた前記複数個のピンチと、前記フレームを位置変位させた姿勢において前記第１の吊り下げ部材の取付け基端部に当接するとともに、第１の吊り下げ部材の回動を制限するように前記フレームに設けられた突起とよりなることを特徴とする物干し具。
【請求項２】
複数個のピンチを備え、かつ位置変位可能なフレームと、一端部が前記フレームに取付けられ、他端部が前記ピンチの一方の摘み部に取付けられた第１の吊り下げ部材、及び一端部が前記フレーム又は第１の吊り下げ部材のいずれかに取付けられ、他端部が前記ピンチの他方の摘み部に形成された透孔にスライド移動可能に挿入された状態で前記一方の摘み部に取付けられた第２の吊り下げ部材とを介して設けられた前記複数個のピンチと、前記フレームを位置変位させた姿勢において前記第１の吊り下げ部材の取付け基端部に当接し、第１の吊り下げ部材の回動を制限するように前記フレームに設けられた突起とよりなることを特徴とする物干し具。
【請求項３】
前記フレームは、パンタグラフ状に構成され、伸縮自在であることを特徴とする請求項１又は請求項２のいずれかに記載の物干し具。
【請求項４】
前記フレームは、２つ折りになるように回転軸を支点にして可動することを特徴とする請求項１又は請求項２のいずれかに記載の物干し具。
【請求項５】
前記突起は、フレームを可動させた際に突出し、前記第１の吊り下げ部材の取付け基端部に当接することを特徴とする請求項１乃至請求項４のいずれかに記載の物干し具。
【発明の詳細な説明】
【技術分野】
【０００１】
本発明は洗濯物を吊り下げて干す場合等に使用される物干し具に関する。
【背景技術】
【０００２】
複数個のピンチがフレームに吊り下げ部材を介して取付けた物干し具において、前記吊り下げ部材は、一端部が前記フレームに取付けられ、他端部が前記ピンチの一方の摘み部に取付けられた第１ の吊り下げ部材、及び一端部が前記フレームに取付けられ、他端部が前記ピンチの他方の摘み部に取付けられた第２ の吊り下げ部材とで構成され、前記ピンチの挟持部に挟持された洗濯物等を取り外す場合、洗濯物を他方の摘み部に引張力が生じるように横方向に引っ張ることにより、一方の摘み部と他方の摘み部とが押圧された状態となり、その結果、挟着部が開放状態となり、小さな引張力で容易にピンチより洗濯物等を取り外すことができる物干し具が知られている（特許文献１参照）。
【０００３】
このような物干し具は、吊り下げ部材の寸法を短くした場合には強風等により洗濯物が横方向に引っ張られた際に、ピンチの挟持力が弱くなり、洗濯物が外れてしまう恐れがあり、また、強風等により洗濯物が外れないように吊り下げ部材の寸法を長くした場合には、洗濯物を外す際に引っ張るストロークが大きくなり、外しづらいという欠点があった。
【先行技術文献】
【特許文献】
【０００４】
【特許文献１】特許第４９１１４９０号公報
【発明の概要】
【発明が解決しようとする課題】
【０００５】
本発明は以上のような従来の欠点に鑑み、強風等によっても洗濯物が外ない程度の吊り下げ部材の寸法を確保できるとともに、容易に洗濯物を取り外すことができる物干し具を提供することを目的としている。
【０００６】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００７】
上記目的を達成するために、本発明の物干し具は、複数個のピンチを備え、かつ位置変位可能なフレームと、一端部が前記フレームに取付けられ、他端部が前記ピンチの一方の摘み部に取付けられた第１の吊り下げ部材、及び一端部が前記フレーム又は第１の吊り下げ部材のいずれかに取付けられ、他端部が前記各ピンチの他方の摘み部に取付けられた第２の吊り下げ部材とを介して設けられた前記複数個のピンチと、前記フレームを位置変位させた姿勢において前記第１の吊り下げ部材の取付け基端部に当接するとともに、第１の吊り下げ部材の回動を制限するように前記フレームに設けられた突起とよりなることを特徴とする。
【０００８】
付言すると、本発明の物干し具は、所定方向へ可動するフレームと、一端部が前記フレームに取付けられ、他端部が前記ピンチの一方の摘み部に取付けられた第１の吊り下げ部材、及び一端部が前記フレーム又は第１の吊り下げ部材のいずれかに取付けられ、他端部が前記ピンチの他方の摘み部に取付けられた第２の吊り下げ部材とを介して取付けられた複数個のピンチと、前記フレームを可動させた状態において、前記第１の吊り下げ部材の前記第２の吊り下げ部材とは反対側の取付け基端部に当接し、該第１の吊り下げ部材の回動を制限するように前記フレームに設けられた突起とから成ることを特徴とする。
【発明の効果】
【０００９】
以上の説明から明らかなように、本発明にあっては次に列挙する効果が得られる。
（１）請求項１乃至請求項３に記載の各発明においては、フレームを所定方向へ可動（例えば収縮方向に位置変位）させることにより、前記第１の吊り下げ部材の反第２の吊り下げ部材側（第１の吊り下げ部材の取付け基端部）に当接する突起を前記フレームが備えているので、洗濯物を干している状態では第１の吊り下げ部材が自由に動くことができる。したがって、強風により洗濯物が外れてしまうことを防止できる。
（２）フレームを所定方向へ可動させることにより、フレームに設けられた突起が前記第１の吊り下げ部材の反第２の吊り下げ部材側（第１の吊り下げ部材の取付け基端部）に当接するので、洗濯物を突起側に引っ張ることにより、ピンチが第１の吊り下げ部材との接続部分で回動し、第２の吊り下げ部材が他方の摘み部に対してピンチを開く方向にさらに力を加え、容易に洗濯物を取り外すことができる。  したがって、洗濯物を容易にピンチから取り外すことができる。
（３）請求項４に記載の発明においても前記（１）、（２）と同様な効果が得られるとともに、フレームを２つ折りにした状態で洗濯物を下に引っ張るだけで洗濯物を外すことができる。  したがって、片手で容易に洗濯物を外すことができる。
（４）請求項５に記載の発明においては、前記（１）〜（３）と同様な効果が得られる
【図面の簡単な説明】
【００１０】
【図１】本発明を実施するための第１の形態の正面図。
【図２】本発明を実施するための第１の形態の平面図。
【図３】本発明を実施するための第１の形態の底面図。
【図４】本発明を実施するための第１の形態のフレームを縮めた状態の平面図。
【図５】本発明を実施するための第１の形態のフレームを縮めた状態の底面図。
【図６】本発明を実施するための第１の形態の洗濯物を取り外す時のピンチの動作説明図。
【図７】本発明を実施するための第２の形態の正面図。
【図８】本発明を実施するための第２の形態の平面図。
【図９】図８の９−９線拡大断面図。
【図１０】本発明を実施するための第２の形態の突起の説明図。
【図１１】本発明を実施するための第３の形態の正面図。
【図１２】本発明を実施するための第３の形態の平面図。
【図１３】本発明を実施するための第３の形態のピンチの説明図。
【図１４】本発明を実施するための第４の形態の正面図。
【図１５】本発明を実施するための第４の形態の平面図。
【図１６】本発明を実施するための第４の形態のフレームを２つ折りにした状態の説明図。
【図１７】図１５の１７−１７線拡大断面図。
【図１８】本発明を実施するための第５の形態の正面図。
【図１９】本発明を実施するための第５の形態の平面図。
【図２０】本発明を実施するための第５の形態のフレームを２つ折りにする状態の説明図。
【発明を実施するための形態】
【００１１】
以下、図面に示す本発明を実施するための形態により、本発明を詳細に説明する。
【００１２】
図１ないし図６に示す本発明を実施するための第１の形態において、１は複数の洗濯物Ｗを干すことができる複数のピンチ２を備える物干し具で、この物干し具１はパンタグラフ状に構成され伸縮可動するフレーム３と、一端部が前記フレーム３に取付けられ、他端部が前記ピンチ２の一方の摘み部２ａに取付けられた第１の吊り下げ部材４、及び一端部が前記フレーム３に取付けられ、他端部が前記ピンチ２の他方の摘み部２ｂに取付けられた第２の吊り下げ部材５により前記フレーム３に取付けられた複数個のピンチ２と、前記フレーム３に設けられたフック６と、前記フレーム３を可動させた際に前記第１の吊り下げ部材の取付け基端部に当接し、第１の吊り下げ部材の回動を制限するように設けられた突起７とで構成されている。  なお、本実施の形態において、位置変位させた姿勢とはフレーム３を縮めた状態をいう。
【００１３】
前記フレーム３は、バー部材８及び枢支ピン９をパンタグラフ状に組み合わせ伸縮可能に構成しており、前記バー部材８は相対的に下方に位置する一方のバー部材８ａ及び相対的に上方に位置する他方のバー部材８ｂとで構成されている。ここで、上方とは、正面視上方向（フック６が取り付けられている方向）であり、下方とは正面視下方向をいう。
本実施の形態においては、前記第１の吊り下げ部材４及び第２の吊り下げ部材５の一端部は、ともに一方のバー部材８ａに取り付けられている。
【００１４】
また、前記ピンチ２の一方の摘み部２ａには、前記第１の吊り下げ部材４が取り付けられる取付孔１０が形成されている。
【００１５】
なお、洗濯物Ｗを挟む挟持部１１やピンチ２の回動支点となるヒンジ部１２、ピンチ２に挟持力を付与するバネ材１３等は公知のピンチと同様に構成されている。
【００１６】
前記第１の吊り下げ部材４は、剛性を有する材料で帯状に形成されており、一端部が前記フレーム３の一方のバー部材８ａに前後左右方向に回動可能に取付けられ、他端部が前記ピンチの一方の摘み部２ａの取付孔１０に、ピンチ２が左右方向に回動可能となるように取付けられている。なお、前後方向とは平面視において上下方向（正面視において奥手前方向）、左右方向とは平面視及び正面視において左右方向をいう。ここでいう剛性とは、ポリプロピレン樹脂程度の剛性があればよい。
【００１７】
前記第２の吊り下げ部材５は、一端部が前記フレーム３の一方のバー部材８ａに取付けられ、他端部が前記ピンチ２の他方の摘み部２ｂに取付けられている。
【００１８】
前記突起７は、前記フレーム３を縮めた際に、前記第１の吊り下げ部材４の基端部に当接し、第１の吊り下げ部材４が突起７方向に回動する動きを制限するものであって、図６に示すように洗濯物Ｗをピンチ２から外す際に、ピンチ２の回動支点となるものである。ここで基端部とは第１の吊り下げ部材４の基端部であって、第２の吊り下げ部材の反対側の位置を意味する。本実施の形態においては、突起７はピンチ２が取り付けられたバー部材８ａと隣り合うバー部材８ａに固定されている。
【００１９】
なお、突起７はフレーム３のバー部材８ａに固定したものでもよいし、バー部材８ａと一体成型してもよい。
【００２０】
本発明の物干し具１を使用する場合には、洗濯物Ｗが乾燥した後、その場であるいは室内に物干し具１を移動させフック６を引っ掛けた状態でフレーム３を縮める。
フレーム３を縮めた状態にすると、ピンチ２が取り付けられたバー部材８ａと隣り合うバー部材８ａがほぼ密着するような状態となり、ピンチ２の第１の吊り下げ部材４と突起７が当接する。
【００２１】
この状態で洗濯物Ｗを突起７方向へ引っ張ると、剛性を有する第１の吊り下げ部材４は突起と当接しているため、第１の吊り下げ部材４とピンチ２の一方の摘み部２ａの接続部分が支点となりピンチ２が回動する。そうすると第２の吊り下げ部材６は、他方の摘み部２ｂを引っ張る状態となり、ピンチ２が開く方向に力を加え、ピンチ２の挟持部１１が開く。そのため、少ない力で、かつ、洗濯物Ｗを痛めることなく、容易に洗濯物Ｗを取り外すことができる。
【００２２】
なお、本発明のピンチ２は、第１の吊り下げ部材４及び第２の吊り下げ部材６によりフレーム３に取り付けられているので、ピンチが他のピンチの摘み部間に入り込むことがなく、ピンチ２が絡んでしまうことを防止できる。
【００２３】
［発明を実施するための異なる形態］
次に、図７ないし図２０に示す本発明を実施するための異なる形態につき説明する。なお、これらの本発明を実施するための異なる形態の説明に当って、前記本発明を実施するための第１の形態と同一構成部分には同一符号を付して重複する説明を省略する。
【００２４】
図７ないし図１０に示す本発明を実施するための第２の形態において、前記本発明を実施するための第１の形態と主に異なる点は、リップ溝形状の一方のバー部材８Ａを用いたフレーム３Ａにするとともに、該フレーム３Ａが伸長している際（通常の位置変異させていない姿勢）には先端部がフレーム３Ａのバー部材８Ａ内部に収納され、フレーム３Ａを縮めた際（位置変異させた姿勢）にバー部材８Ａの上方へ突出し、前記第１の吊り下げ部材４に当接する突起７Ａにした点で、このように構成した物干し具１Ａにしても、前記本発明を実施するための第１の形態と同様な作用効果が得られる。
【００２５】
前記突起７Ａは、一方のバー部材８Ａに形成された透孔１４を通過可能な突起本体１５と、突起本体１５が透孔１４から脱落しないようするとともに、リップ溝形状のバー部材８Ａの縁にも当接する形状のストッパー１６と、該ストッパー１６と透孔１４の間に設けられ、突起本体１５を上方へ付勢するスプリング１７とで構成されている。
【００２６】
また、突起７Ａは付勢スプリング１７によってバー部材８Ａから常時上方へ突出した状態となっており、フレーム３Ａを縮めた際には、突起７Ａの突出した部分が他方のバー部材８によって押圧され、スプリング１７の付勢力に抗して下方へ突出し、前記第１の吊り下げ部材４に当接する。他方のバー部材８には、突起７Ａをスムーズに押圧できるように傾斜面が形成されていることが望ましいが、突起本体１５の上端部に傾斜面を形成しても同様の作用を得られる。
【００２７】
なお、スプリング１７を用いない場合には、突起７Ａの突起本体１５が常時下方へ突出し第１の吊り下げ部材４に当接するが、フレーム３Ａが伸長している状態では突起本体１５の重量のみで下方へ突出しているため、第１の吊り下げ部材４を突起方向に回動させても、第１の吊り下げ部材４が突起本体１５を上方へ押しこむことができ、第１の吊り下げ部材４の回動が制限されない。一方、フレーム３Ａが縮んだ状態（位置変異させた姿勢）では他方のバー部材８が一方のバー部材８Ａの上方に重なるので、突起本体１５が上方へ突出することができなくなり、突起７Ａが第１の吊り下げ部材４の基端部に当接するとともに第１の吊り下げ部材４の回動を制限することができる。そのため、突起本体１５が重力によってピンチ２側へ突出する場合にはスプリング１７は必ずしも設けなくてもよい。
【００２８】
本実施の形態において、突起７Ａはフレーム３Ａと直交する方向に突出するものについて説明したが、突起７Ａがフレーム３Ａに対して斜めに突出するように構成してもよい。
【００２９】
図１１ないし図１３に示す本発明を実施するための第３の形態において、前記本発明を実施するための第１の形態と主に異なる点は、他方の摘み部２ｂには前記第２の吊り下げ部材がスライド可能に遊挿される透孔１８を形成するとともに、挟持部１１の後端からヒンジ部１２までが段差なく、摘み部の内側面とほぼ平行になるように形成したピンチ２Ａと、一端部が前記フレーム３のバー部材８ａに取付けられ、他端部が前記ピンチの他方の摘み部２ｂに形成された透孔１８にスライド移動可能に挿入された状態で前記一方の摘み部２ａに取付けられた第２の吊り下げ部材５Ａを用いた点で、このように構成した物干し具１Ｂにしても、前記本発明を実施するための第１の形態と同様な作用効果が得られるともに、ピンチ２Ａの挟持部１１を開くためのストロークは長くなるが、少ない力でピンチ２Ａの挟持部１１を開くことができる。
【００３０】
図１４ないし図１７に示す本発明を実施するための第４の形態において、前記本発明を実施するための第２の形態と主に異なる点は、平面視コ字状に形成されリップ溝形の断面形状を有する一対のバー部材８Ｂの開放端部同士を回転軸１９により接続し、該回転軸１９を支点にして可動し２つ折りにできるとともに、可動させた際にピンチ２が外側に位置するように折りたたみ可能なフレーム３Ｂと、該フレーム３Ｂを２つ折りにした際に前記第１の吊り下げ部材４に当接するように突出する突起７Ｂにした点で、このように構成した物干し具１Ｃにしても、前記本発明を実施するための第１の形態と同様な作用効果が得られる。
【００３１】
ここで、本実施の形態において、フレーム３Ｂを位置変異させた姿勢とは、２つ折りにした状態をいう。また、本実施の形態においては、フック６はフレーム３Ｂに支持棒を介して設けられているが、チェーンや吊り下げ紐等を介してフック６を取り付けてもよい。
前記突起７Ｂは、フレーム３Ｂに形成された透孔１４を通過可能な突起本体１５と、突起本体１５が透孔１４から脱落しないようするとともに、バー部材８Ｂの縁にも当接する形状のストッパー１６と、該ストッパー１６と透孔１４の間に設けられ、突起本体１５を透孔１４の方向へ付勢するスプリング１７とで構成されており、通常時においては突起本体１５が透孔１４から突出しており、可動時（２つ折り時）には対向するバー部材８Ｂまたは対向する突起本体１５により突起本体１５が押圧され、前記第１の吊り下げ部材４に当接するように突出する。
【００３２】
なお、前記フレーム３Ｂの短辺側の中央部の両側に、折りたたんだ状態を保持できるように、マグネット等の保持手段を設けてもよい。
【００３３】
図１８ないし図２０に示す本発明を実施するための第５の形態において、前記本発明を実施するための第４の形態と主に異なる点は、平面視コ字状に形成され中実の一対のバー部材８Ｃの開放端部同士を回転軸１９により接続し、該回転軸１９を支点にして可動し２つ折りにできるとともに、可動させた際にピンチ２が外側に位置するように折りたたみ可能なフレーム３Ｃと、該フレーム３Ｃのピンチ２の第１の吊り下げ部材４付近に形成した透孔１４と、該透孔１４と対応する位置のフレーム３Ｃの上部に形成した突起７Ｃを形成し、フレーム３Ｃを可動（２つ折り）した際に、前記突起７Ｃが透孔１４を通過してピンチ２の第１の吊り下げ部材４の反第２の吊り下げ部材５側に当接するようにした点で、このような構成の物干し具１Ｄにしても、前記本発明を実施するための第１の形態と同様な作用効果が得られる。
【００３４】
なお、本発明の実施の形態においては、第２の吊り下げ部材の一端部をフレームに取り付けたものについて説明したが、第１の吊り下げ部材に取り付けてもよい。
【００３５】
また、第１の吊り下げ部材はフレームと別体の物について説明したが、フレームと一体に形成してもよく、剛性を有する第１の吊り下げ部材についてのみ説明したが、ひも状の第１の吊り下げ部材等を用いてもよい。
【産業上の利用可能性】
【００３６】
本発明は物干し具を製造する産業で利用される。
【符号の説明】
【００３７】
１、１Ａ、１Ｂ、１Ｃ、１Ｄ：物干し具、
２、２Ａ：ピンチ、            ２ａ：一方の摘み部、
２ｂ：他方の摘み部、          ３、３Ａ、３Ｂ：フレーム、
４：第１の吊り下げ部材、      ５：第２の吊り下げ部材、  
６：フック、                  ７、７Ａ、７Ｂ、７Ｃ：突起、
８、８Ａ、８Ｂ：バー部材、    ９：枢支ピン、
１０：取付孔、                １１：挟持部、
１２：ヒンジ部、              １３：バネ材、
１４：透孔、                  １５：突起本体、
１６：ストッパー、            １７：スプリング、
１８：透孔、                  １９：回転軸、
Ｗ：洗濯物。
【図１】
2017000674.tif 000003
【図２】
2017000674.tif 000004
【図３】
2017000674.tif 000005
【図４】
2017000674.tif 000006
【図５】
2017000674.tif 000007
【図６】
2017000674.tif 000008
【図７】
2017000674.tif 000009
【図８】
2017000674.tif 000010
【図９】
2017000674.tif 000011
【図１０】
2017000674.tif 000012
【図１１】
2017000674.tif 000013
【図１２】
2017000674.tif 000014
【図１３】
2017000674.tif 000015
【図１４】
2017000674.tif 000016
【図１５】
2017000674.tif 000017
【図１６】
2017000674.tif 000018
【図１７】
2017000674.tif 000019
【図１８】
2017000674.tif 000020
【図１９】
2017000674.tif 000021
【図２０】
2017000674.tif 000022